(57)【特許請求の範囲】
【請求項１】
２つの操作位置の間で揺動する操作ハンドルと、可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により可動接点と接触・開離する固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々固定接点が固着された２つの第２の端子板を連結してなることを特徴とするスイッチ。
【請求項２】
２つの操作位置の間で揺動する操作ハンドルと、２つの可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により何れか一方の可動接点と択一的に接触・開離する２つの固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々２つの固定接点が互いに対向するように固着された２つの第２の端子板を連結してなることを特徴とするスイッチ。
【請求項３】
第１及び第２の端子ブロックをそれぞれ収納する収納部を器体の両端部に設けるとともに器体の略中央内壁面に１乃至複数条の凹凸を形成したことを特徴とする請求項１又は２記載のスイッチ。
【請求項４】
器体内壁面の凹凸に嵌合する嵌合片を第１及び第２の端子板に設けたことを特徴とする請求項３記載のスイッチ。
【請求項５】
請求項１又は２記載のスイッチの製造方法であって、第１及び第２の端子ブロックをそのまま器体に収納する工程と、連結部位を切断し予め２つに分割された第１及び第２の端子板をそれぞれ器体に収納する工程との何れか一方を有することを特徴とするスイッチの製造方法。
【発明の詳細な説明】
【０００１】
【発明の属する技術分野】
本発明は、スイッチに関するものである。
【０００２】
【従来の技術】
スイッチには、接点構成の違いから、単極単投に用いる単極スイッチ（所謂Ｂ接点構成の片切りスイッチ）、２極単投に用いる２極スイッチ（所謂Ｄ接点構成の両切りスイッチ）、単極切換（所謂Ｃ接点構成）に用いる３路スイッチ、並びに単極切換（所謂Ｅ接点構成）に用いる４路スイッチの４種類がある。
【０００３】
【発明が解決しようとする課題】
ところで、従来のスイッチでは、単極スイッチと２極スイッチ、あるいは３路スイッチと４路スイッチのように接点構成が似通っているもの同士であっても端子部分の形状等が異なっている。そのためにスイッチの外郭を構成する器体の内部構造も各種類毎に異なっており、各種類のスイッチ毎に形状等が異なる専用の端子板や器体等が必要であり、コストが高くなるという問題があった。特に合成樹脂成型品からなる器体については各種類のスイッチ毎に金型の投資が必要となってしまう。
【０００４】
本発明は上記問題に鑑みて為されたものであり、その目的とするところは、器体を含む部品の共通化によってコストダウンが図れるスイッチ並びにその製造方法を提供することにある。
【０００５】
【課題を解決するための手段】
請求項１の発明は、上記目的を達成するために、２つの操作位置の間で揺動する操作ハンドルと、可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により可動接点と接触・開離する固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々固定接点が固着された２つの第２の端子板を連結してなることを特徴とし、第１及び第２の端子ブロックをそのまま器体に収納すれば単極スイッチとなり、連結部位で切断して２つに分割された各一対の第１及び第２の端子板をそれぞれ器体に収納するとともに開閉体を含む開閉ブロックの部品を追加すれば２極スイッチとなる。故に、単極スイッチと２極スイッチについて器体を含む幾つかの部品を共通化することができてコストダウンが図れる。
【０００６】
請求項２の発明は、上記目的を達成するために、２つの操作位置の間で揺動する操作ハンドルと、２つの可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により何れか一方の可動接点と択一的に接触・開離する２つの固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々２つの固定接点が互いに対向するように固着された２つの第２の端子板を連結してなることを特徴とし、第１及び第２の端子ブロックをそのまま器体に収納すれば３路スイッチとなり、連結部位で切断して２つに分割された各一対の第１及び第２の端子板をそれぞれ器体に収納するとともに開閉体を含む開閉ブロックの部品を追加すれば４路スイッチとなる。故に、３路スイッチと４路スイッチについて器体を含む幾つかの部品を共通化することができてコストダウンが図れる。
【０００７】
請求項３の発明は、請求項１又は２の発明において、第１及び第２の端子ブロックをそれぞれ収納する収納部を器体の両端部に設けるとともに器体の略中央内壁面に１乃至複数条の凹凸を形成したことを特徴とし、第１の端子ブロックと第２の端子ブロックとの間の沿面距離を大きくして絶縁性の向上が図れる。
【０００８】
請求項４の発明は、請求項３の発明において、器体内壁面の凹凸に嵌合する嵌合片を第１及び第２の端子板に設けたことを特徴とし、第１及び第２の端子板の回転を防止することができる。
【０００９】
請求項５の発明は、上記目的を達成するために、請求項１又は２記載のスイッチの製造方法であって、第１及び第２の端子ブロックをそのまま器体に収納する工程と、連結部位を切断し予め２つに分割された第１及び第２の端子板をそれぞれ器体に収納する工程との何れか一方を有することを特徴とし、連結部位の切断作業の有無だけで単極スイッチと２極スイッチ、並びに３路スイッチと４路スイッチを作り分けることができ、種類の異なるスイッチが容易に製造できる。
【００１０】
【発明の実施の形態】
（実施形態１）
図１（ａ）及び（ｂ）はそれぞれ本実施形態のスイッチＳ１，Ｓ２の分解斜視図を示し、一方のスイッチＳ１は所謂Ｂ接点構成の単極スイッチ（片切りスイッチ）であり、他方のスイッチＳ２は所謂Ｄ接点構成の２極スイッチ（両切りスイッチ）である。ここで、２種類のスイッチＳ１，Ｓ２の基本構成は共通であるから一方のスイッチＳ１について説明し、他方のスイッチＳ２についてはスイッチＳ１と共通する構成要素に同一の符号を付して説明を省略する。
【００１１】
図１〜図３に示すように、本実施形態におけるスイッチＳ１の器体１は、合成樹脂成型品からなるボディ１ａと、同じく合成樹脂成型品からなりボディ１ａに組み立てられるカバー１ｂとで構成される。ここで、カバー１ｂの周縁四隅からは矩形の組立孔１０ａが穿設された組立脚１０が下方へ垂設してあり、ボディ１ａの両側面に突設された組立突起２に組立脚１０の組立孔１０ａを係止することでボディ１ａとカバー１ｂとを一体に組み立てるようになっている。すなわち、カバー１ｂの組立脚１０の先端をボディ１ａの組立突起２上面に当接させながら、ボディ１ａの開口面側からカバー１ｂをボディ１ａに被せるようにカバー１ｂを押し込んで行くと、組立突起２の上面に形成したガイド面２ａに沿って組立脚１０が拡径し、やがて組立脚１０が組立突起２を乗り越え、組立脚１０の組立孔１０ａが組立突起２に係止されてボディ１ａとカバー１ｂとが組み立てられる。なお、ボディ１ａ両側面の組立突起２間には、カバー１ｂをボディ１ａに組み立てる際にカバー１ｂの組立脚１０をそれぞれボディ１ａの組立突起２にガイドするためのガイドリブ７が突設してあるので、ガイドリブ７の両側面に組立脚１０を当接させることで組立が容易になるものである。
【００１２】
ボディ１ａの中央部底面からは長手方向に沿った隔絶壁８が立設され、この隔絶壁８の一端側には隔絶壁８と略直交する向きに隔壁９が立設されている。而して、隔絶壁８並びに隔壁９にてボディ１ａ内部を仕切ることにより、第１及び第２の端子ブロックＴ１，Ｔ２を収める端子ブロック収納部３，３をボディ１ａの長手方向両端部に設け、隔絶壁８で分割された中央部には開閉ブロックを構成する開閉体２４を収める一対の中央収納部４1，４2を隔絶壁８の両側に設けてある。またボディ１ａの各端子ブロック収納部３，３の底面には、外部の電線を挿入する一対の電線挿入孔５をボディ１ａの短幅方向に並設し、第１及び第２の端子ブロックＴ１，Ｔ２を構成する解除釦２７を操作するための解除孔６を電線挿入孔５の間に穿設してある。
【００１３】
第１の端子ブロックＴ１は、互いが鏡像の関係となる一対の端子板（第１の端子板）２０，２０と一対の錠ばね２６と解除釦２７とで構成される。第１の端子板２０は帯板状の金属板を折曲することにより、基片２０ｂの両端に接続片２０ａと当接片２０ｃとが形成されるとともに当接片２０ｃの先端部から支持片２０ｄが延設されてなり、第１の端子板２０を２つ並べた状態で互いの基片２０ｂ同士が連結片２０ｅにより連結されて一体に形成されている。錠ばね２６は弾性を有する導電材料の帯板の両端部を曲成して中央片２６ｃの両端部に鎖錠片２６ａ及び接触片２６ｂが形成されてなり、第１の端子板２０の接続片２０ａと当接片２０ｃの間に配置される。鎖錠片２６ａは中央片２６ｃとの連結部位から先端縁に向かって、第１の端子板２０の接続片２０ａに近づく向きに傾斜し、接触片２６ｂは略Ｓ字形に曲成されている。また、中央片２６ｃは略平板状に形成されていて第１の端子板２０の当接片２０ｃに当接する。
【００１４】
上述のように構成される第１の端子ブロックＴ１は、合成樹脂成型品からなる解除釦２７を下部が解除孔６に臨むようにしてボディ１ａの片方の端子ブロック収納部３の略中央に移動自在に収納し、解除釦２７で２つに仕切られた各端子ブロック収納部３1，３2にそれぞれ第１の端子板２０と錠ばね２６を収納することでボディ１ａ内部に収められる。而して、錠ばね２６の鎖錠片２６ａ及び接触片２６ｂと第１の端子板２０の接続片２０ａとの間に、ボディ１ａの底部に設けた電線挿入孔５を通して外部から電線が挿入されると、鎖錠片２６ａの先端が電線の芯線に食い込んで抜け止めがなされるとともに、鎖錠片２６ａ及び接触片２６ｂによって電線の芯線が接続片２０ａに圧接されることにより、電線の芯線と第１の端子板２０との導通（接続）が図られる。また、外部から解除孔６を通して挿入するドライバ等の工具の先端で解除釦２７を押操作すれば、解除釦２７が移動して両側面に突設した押圧片２７ａで錠ばね２６の鎖錠片２６ａを圧接解除方向に撓ませ、鎖錠片２６ａの先端を電線の芯線から引き離して第１の端子板２０と電線との接続を解除することができる。
【００１５】
一方、第２の端子ブロックＴ２は、同じく互いが鏡像の関係となる一対の端子板（第２の端子板）２１，２１と一対の錠ばね２６と解除釦２７とで構成される。第２の端子板２１は帯板状の金属板を略コ字状に折曲することにより、基片２１ｂの両端に接続片２１ａと脚片２１ｃとが形成されてなり、第２の端子板２１を２つ並べた状態で互いの基片２１ｂ同士が連結片２１ｅにより連結されて一体に形成されている。また、脚片２１ｃの先端部には固定接点２８が固着される。
【００１６】
第２の端子ブロックＴ２は、下部が解除孔６に臨むようにしてボディ１ａのもう片方の端子ブロック収納部３の略中央に解除釦２７を移動自在に収納し、解除釦２７で２つに仕切られた各端子ブロック収納部３3，３4にそれぞれ第２の端子板２１と錠ばね２６を収納することでボディ１ａ内部に収められる。このとき、図２に示すように錠ばね２６の中央片２６ｃが端子ブロック収納部３と中央収納部４1，４2を仕切る隔壁９に当接し、第２の端子板２１の脚片２１ｃが隔壁９を跨ぐように配置されることで先端部に固着された固定接点２８を中央収納部４1，４2に進出させている。而して、第１の端子ブロックＴ１と同様に電線挿入孔５を通して外部から挿入された電線の芯線が、錠ばね２６の鎖錠片２６ａ及び接触片２６ｂと第２の端子板２１の接続片２１ａとの間に圧接狭持され、解除釦２７を押操作することで第２の端子板２１と電線との接続が解除できる。
【００１７】
ところで、第１の端子板２０の支持片２０ｄ先端には開閉体２４の揺動支点となる支点凹部２０ｆが形成されている。この開閉体２４は導電材料よりなる帯板で形成され、第２の端子板２１と対向する側の面には固定接点２８と接触・開離する可動接点２９が固着されている。中央収納部４1，４2におけるボディ１両側面には内方に突出するリブ４ａ，４ａが突設されており、ボディ１の端子ブロック収納部３に第１及び第２の端子ブロックＴ１，Ｔ２を収納した状態で開閉体２４を中央収納部４1（又は４2）に納めると、開閉体２４の下端縁が第１の端子板２０の支持片２０ｄ先端に設けられた支点凹部２０ｆに挿入され、開閉体２４が支点凹部２０ｆを支点として回動自在に配置される。この時、開閉体２４の片側にリブ４ａが配置され、ボディ１の短幅方向への開閉体２４の移動がリブ４ａによって規制される。また、開閉体２４には側方に突出する突起２４ａが突設されており、図２に示すようにリブ４ａの底面側に設けられたＶ状溝４ｂに突起２４ａが嵌入されて開閉体２４の回動範囲がＶ状溝４ｂによって規制される。
【００１８】
カバー１ｂは矩形枠状の枠部１１が形成され、この枠部１１内には合成樹脂により下面が開口する箱形に形成された反転ハンドル３０が収められる。この反転ハンドル３０の両側面の下部には略三角状の回動軸３１が突設してあり、内底面の中央からはコイルスプリング２５の上部をそれぞれ挿入固定する一対の筒状突起（図示せず）が突設してある。このコイルスプリング２５は反転ハンドル３０の回動に応じて開閉体２４に反転回動力を付与するものであり、下部が開閉体２４上部と嵌合して、反転ハンドル３０と開閉体２４との間に介装される。
【００１９】
一方、枠部１１の短幅方向両側に立設された軸受部１２の内壁に軸受溝１２ａが形成してあり、この軸受溝１２ａに反転ハンドル３０の回動軸３１を下方から嵌入し、カバー１ｂにて反転ハンドル３０を回動自在に保持する構造となっている。而して、反転ハンドル３０を回動軸３１を支点として器体１に対して回動させれば、器体１内に圧縮して収められたコイルスプリング２５による作用で開閉体２４が反転回動して、開閉体２４の可動接点２９を第２の端子板２１の固定接点２８に接触・開離させることができる。
【００２０】
一方、反転ハンドル３０の上部には操作ハンドル４０が取着される。この操作ハンドル４０は合成樹脂成型品からなり、内底面より突設した係止片４０ｂ，４０ｃの先端を反転ハンドル３０の長手方向両側面に突設された係止突起３３ａ，３３ｂと係合させることで反転ハンドル３０の上部を覆うように取着される。操作ハンドル４０の長手方向に沿った両側壁の開口端縁は中央部が下方に突出するような山形に形成してあり、この山形に形成された両側壁の内側中央にはカバー１ｂの軸受部１２を逃がすための凹部（図示せず）が形成してある。操作ハンドル４０の上面（操作面）の長手方向一端部には、外周形状が略長円形の突部４０ａが設けてあり、スイッチＳ１の状態（固定接点２８と可動接点２９が接触しているか又は開離しているか）を外観上判断する目安となるものである。
【００２１】
したがって、操作ハンドル４０を２つの操作位置の間で揺動操作すれば、操作ハンドル４０が取着されている反転ハンドル３０を回動させて開閉体２４を反転回動させることができ、これによって操作ハンドル４０の操作位置に応じて開閉体２４を介して可動接点２９に電気的に接続されている第１の端子板２０と、固定接点２８に電気的に接続されている第２の端子板２１との間の導通をオン・オフすることができるのである。
【００２２】
また、カバー１ｂ上面の長手方向における両端部には、外側面両端部に一対の係止爪１３が突設された突台部１４が立設してある。これら係止爪１３には、突台部１４の上部から下部に向けて外側へ傾斜する傾斜面１３ａが形成してある。なお、この係止爪１３を図示しない取付枠又はプレート枠の係止部に係止することで器体１が取付枠又はプレート枠に取り付けられ、壁面などの施工面にスイッチが配設されるものである。
【００２３】
而して、連結片２０ｅ，２１ｅを残したままで第１及び第２の端子ブロックＴ１，Ｔ２をそれぞれ端子ブロック収納部３に収納し、片方の中央収納部４1に開閉体２４を収納するとともに反転ハンドル３０の片方の筒状突起に挿入固定したコイルスプリング２５の下部を開閉体２４上部に嵌合してボディ１ａとカバー１ｂを組み立てれば、単極スイッチであるスイッチＳ１が構成できる。一方、連結片２０ｅ，２１ｅを切除して分割した第１及び第２の端子板２０，２１をそれぞれ端子ブロック収納部３1〜３4に収納し、両方の中央収納部４1，４2に各々開閉体２４を収納するとともに反転ハンドル３０の両方の筒状突起に挿入固定した各コイルスプリング２５の下部をそれぞれ開閉体２４上部に嵌合してボディ１ａとカバー１ｂを組み立てれば、２極スイッチであるスイッチＳ２が構成できる。すなわち、第１及び第２の端子ブロックＴ１，Ｔ２をそのまま器体１に収納すれば単極スイッチＳ１となり、連結片２０ｅ，２１ｅで切断して２つに分割された各一対の第１及び第２の端子板２０，２１をそれぞれ器体１に収納するとともに開閉体２４及びコイルスプリング２５を追加すれば２極スイッチＳ２となるから、従来はスイッチの種類毎に構造が異なっていたボディ１ａを含めて幾つかの部品を単極スイッチＳ１と２極スイッチＳ２について共通化することができ、特に単極スイッチと２極スイッチでボディ１ａの金型を別々に用意する必要がなくなって合理化とコストダウンが図れる。
【００２４】
ところで、本実施形態のスイッチＳ１，Ｓ２は操作ハンドル４０の寸法が比較的に大きい所謂ワイドハンドル形スイッチであるが、外観上スリム且つコンパクト（小型）に見せて見栄えを良くするために、図４に示すような構造の操作ハンドル４０を用いても良い。操作ハンドル４０前面の長手方向一端側には長手方向に直交する方向に沿って走る溝４１が形成されている。溝４１の長手方向の略中央には先端に丸みを持たせた細長の突起４２が突設され、溝４１の両端部には操作ハンドル４０を貫通する孔４３が穿設されており、溝４１の一端側に穿設された孔（図示せず）の奥方には被凹凸係止部たる凹所（図示せず）が形成されている。この溝４１内には長尺状の板片からなるハンドルライン４５が取り付けられる。ハンドルライン４５の略中央には突起４２を挿通させる窓孔４６が穿設され、長手方向の一端側には溝４１の一端側に設けられた凹所と凹凸係止する凸部４７が突設されている。またハンドルライン４５の長手方向の他端部における孔４３に対応する部位には背方に突出する係止爪片４８が突設され、係止爪片４８の先端には外側に突出する爪４９が突設されている。而して、ハンドルライン４５を操作ハンドル４０に取り付ける際は、先ずハンドルライン４５の凸部４７を溝４１の一端側の孔内に挿入し、この凸部４７を支点としてハンドルライン４５を回転させ、ハンドルライン４５の係止爪片４８を溝４１の他端側の孔４３内に挿入して、係止爪片４８の先端に設けられた爪４９と孔４３の端縁とを係止させることにより、ハンドルライン４５が操作ハンドル４０に取り付けられる。この時、ハンドルライン４５の窓孔４６内に突起４２が挿入され、突起４２の先端が操作ハンドル４０の前面から突出するので、操作感触や視覚により接点をオンする際に押操作する操作ハンドル４０の位置を判別することができる。
【００２５】
ところで本実施形態のスイッチＳ１，Ｓ２では、図３に示すように器体１の短幅方向の幅寸法と操作ハンドル４０の幅寸法とがほぼ等しくしてあって、通常は取付枠又はプレート枠に短幅方向に３個並べて取り付けることができるようになっている。ここで、このような寸法の操作ハンドル４０を３個用ハンドルと呼ぶ。これに対して、取付枠又はプレート枠に短幅方向に２個並べて取り付ける場合には、図５に示すように３個用ハンドルの１．５倍の幅寸法に形成された操作ハンドル４０’（これを２個用ハンドルと呼ぶ）を反転ハンドル３０に取着するようにすればよい。また、取付枠又はプレート枠に１個だけ取り付ける場合には、図６に示すように３個用ハンドルの３倍の幅寸法に形成された操作ハンドル４０”（これを１個用ハンドルと呼ぶ）を反転ハンドル３０に取着するようにすればよい。
【００２６】
（実施形態２）
実施形態１は単極スイッチ及び２極スイッチに関するものであったが、本実施形態は３路スイッチ及び４路スイッチに関するものである。但し、基本的な構成は実施形態１と共通であるから共通する構成要素には同一の符号を付して説明を省略する。
【００２７】
図７（ａ）及び（ｂ）はそれぞれ本実施形態のスイッチＳ３，Ｓ４の分解斜視図を示し、一方のスイッチＳ３は所謂Ｃ接点構成の３路スイッチであり、他方のスイッチＳ４は所謂Ｅ接点構成の４路スイッチである。ここで、２種類のスイッチＳ３，Ｓ４の基本構成は共通であるから一方のスイッチＳ３について説明し、他方のスイッチＳ４についてはスイッチＳ３と共通する構成要素に同一の符号を付して説明を省略する。
【００２８】
本実施形態における第２の端子ブロックＴ３は、互いに形状が異なる２つの第２の端子板２２，２３と鎖錠ばね２６及び解除釦２７で構成される。第２の端子板２２は帯板状の金属板を折曲して形成され、基片２２ｂの両端に接続片２２ａと脚片２２ｃとが形成されるとともに脚片２２ｃの先端から側方へ延設片２２ｄが延設され、さらに脚片２２ｃの基部と延設片２２ｄの先端部にそれぞれ固定接点２８ａ，２８ｂが固着されている。また、他方の第２の端子板２３も帯板状の金属板を折曲して形成され、基片２３ｂの両端に接続片２３ａと脚片２３ｃとが形成されるとともに脚片２３ｃの先端から側方へ延設片２３ｄが延設され、さらに脚片２３ｃの基部と延設片２３ｄの先端部にそれぞれ固定接点２８ｃ，２８ｄが固着され、第２の端子板２２，２３を２つ並べた状態で互いの基片２２ｂ，２３ｂ同士が連結片２２ｅにより連結されて一体に形成されている。而して、第２の端子板２２，２３をそれぞれ端子ブロック収納部３3，３4に収納すると、図８に示すように第２の端子板２２の脚片２２ｃが一方の中央収納部４1に進出するとともに、第２の端子板２３の脚片２３ｃが他方の中央収納部４2に進出し、一方の中央収納部４1内に２つの固定接点２８ａ，２８ｄが対向配置されるとともに他方の中央収納部４2内に２つの固定接点２８ｂ，２８ｃが対向配置される。なお、本実施形態においては延設片２２ｄ，２３ｄと干渉しないようにボディ１ａの中央には隔壁８が設けられていない。
【００２９】
一方、開閉体２４は表裏両面に可動接点２９ａ，２９ｂが固着され、可動接点２９ａと固定接点２８ａ（又は２８ｃ）とが対向し、且つ可動接点２９ｂと固定接点２８ｄ（又は２８ｂ）とが対向するように中央収納部４1（又は４2）に収納される。
【００３０】
而して、操作ハンドル４０を押操作することで反転ハンドル３０を器体１に対して回動させれば、器体１内に圧縮して収められたコイルスプリング２５による作用で開閉体２４が反転回動して、開閉体２４の可動接点２９1 ，２９2 を第２の端子板２２の固定接点２８ａと第２の端子板２３の固定接点２８ｄとに交互に接触・開離させることができ、第１の端子板２０に対する２つの第２の端子板２２，２３の導通を択一的にオン・オフする、３路スイッチが実現できる。
【００３１】
すなわち、連結片２０ｅ，２２ｅを残したままで第１及び第２の端子ブロックＴ１，Ｔ３をそれぞれ端子ブロック収納部３に収納し、片方の中央収納部４1に開閉体２４を収納するとともに反転ハンドル３０の片方の筒状突起に挿入固定したコイルスプリング２５の下部を開閉体２４上部に嵌合してボディ１ａとカバー１ｂを組み立てれば、３路スイッチであるスイッチＳ３が構成できる。一方、連結片２０ｅ，２２ｅを切除して分割した第１の端子板２０及び第２の端子板２２，２３をそれぞれ端子ブロック収納部３1〜３4に収納し、両方の中央収納部４1，４2に各々開閉体２４を収納するとともに反転ハンドル３０の両方の筒状突起に挿入固定した各コイルスプリング２５の下部をそれぞれ開閉体２４上部に嵌合してボディ１ａとカバー１ｂを組み立てれば、４路スイッチであるスイッチＳ４が構成できる。このように、本実施形態も実施形態１と同様に、第１及び第２の端子ブロックＴ１，Ｔ３をそのまま器体１に収納すれば３路スイッチＳ３となり、連結片２０ｅ，２２ｅで切断して２つに分割された各一対の第１及び第２の端子板２０，２２，２３をそれぞれ器体１に収納するとともに開閉体２４及びコイルスプリング２５を追加すれば４路スイッチＳ４となるから、従来はスイッチの種類毎に構造が異なっていたボディ１ａを含めて幾つかの部品を３路スイッチＳ３と４路スイッチＳ４について共通化することができ、特に３路スイッチと４路スイッチでボディ１ａの金型を別々に用意する必要がなくなって合理化とコストダウンが図れる。
【００３２】
ところで図１０に示すように、本実施形態においてはボディ１ａの中央収納部４1，４2に臨む内壁面に深さ方向に沿った複数条の凹凸１５が形成してあるから、この凹凸１５によって第１及び第２の端子ブロックＴ１，Ｔ３間の沿面距離を大きくして両端子ブロックＴ１，Ｔ３間の絶縁性の向上が図れる。また、第１の端子板２０並びに第２の端子板２２，２３の側端縁には凹凸１５の凹部に嵌合する嵌合片２０ｇ，２２ｆ，２３ｆが突設されており、嵌合片２０ｇ，２２ｆ，２３ｆを凹部と嵌合することにより、ボディ１ａに対して第１及び第２の端子板２０，２２，２３が回転するのを防ぐことができる。なお、本実施形態においても図１１に示すようにハンドルライン４５付の操作ハンドル４０を用いたり、あるいは２個用ハンドルや１個用ハンドルを用いても良い。
【００３３】
ところで、例えば４路スイッチと３路スイッチを組み合わせて他箇所から照明負荷を点滅する場合、照明負荷の消灯時に点灯してスイッチの位置を表示する位置表示灯を備えたスイッチがよく用いられる。図１２及び図１３は位置表示灯５３を備えた４路スイッチＳ４’を示している。このスイッチＳ４’では、ネオンランプからなる位置表示灯５３を有する点灯表示部５２を反転ハンドル３０内に組み込み、反転ハンドル３０の前面に穿設された開口３４に位置表示灯５３を臨ませている。また、操作ハンドル４０の溝４１におけるハンドルライン４５の窓孔４６に対応する部位には、操作ハンドル４０を貫通する長孔状の孔５４が穿設されている。導光部材からなるプリズム５５は孔５４及び窓孔４６に挿通されハンドルライン４５前面から突出する先端に丸みを持たせた細長の凸部５６を有しており、操作ハンドル４０の裏面側から孔５４内に凸部５６を挿入した状態で操作ハンドル４０にかしめ固定される。而して、操作ハンドル４０を反転ハンドル３０に取り付けると、プリズム５５の入射面５７が位置表示灯５３に対向して配置される。
【００３４】
一方、点灯表示部５２は、合成樹脂により略Ｈ形に形成された回路基板５２ａに位置表示灯５３及び抵抗Ｒを実装して構成される。そして、回路基板５２ａの幅細の部分を反転ハンドル３０内の筒状突起の間に圧入することで点灯表示部５２を反転ハンドル３０内に納装する。このとき、位置表示灯５３及び抵抗５８の端子５３ａ，５８ａが２つのコイルスプリング２５，２５に各別に接触導通させてある。したがって、第１及び第２の端子ブロックＴ１，Ｔ３を介して負荷に給電されているときは位置表示灯５３が消灯し、第１又は第２の端子ブロックＴ１，Ｔ３を介して負荷に給電されていないときに位置表示灯５３が点灯し、位置表示灯５３の発光がプリズム５５の入射面５７に入射し、プリズム５５内で屈折されて凸部５６から外部に出射されてスイッチＳ４’の位置を表示することができる。
【００３５】
【発明の効果】
請求項１の発明は、２つの操作位置の間で揺動する操作ハンドルと、可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により可動接点と接触・開離する固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々固定接点が固着された２つの第２の端子板を連結してなるので、第１及び第２の端子ブロックをそのまま器体に収納すれば単極スイッチとなり、連結部位で切断して２つに分割された各一対の第１及び第２の端子板をそれぞれ器体に収納するとともに開閉体を含む開閉ブロックの部品を追加すれば２極スイッチとなるから、単極スイッチと２極スイッチについて器体を含む幾つかの部品を共通化することができてコストダウンが図れるという効果がある。
【００３６】
請求項２の発明は、２つの操作位置の間で揺動する操作ハンドルと、２つの可動接点が固着された開閉体を有し操作ハンドルの操作に連動して開閉体を回動する開閉ブロックと、外部の電線に接続する第１の端子ブロックと、操作ハンドルの各操作位置に対応して開閉体の回動により何れか一方の可動接点と択一的に接触・開離する２つの固定接点を具備した第２の端子ブロックと、開閉ブロック並びに第１及び第２の端子ブロックを収納する器体とを備え、第１の端子ブロックは、外部の電線が接続されるとともに開閉体と接触導通する手段を有する２つの第１の端子板を連結してなり、第２の端子ブロックは、外部の電線と接続されるとともに各々２つの固定接点が互いに対向するように固着された２つの第２の端子板を連結してなるので、第１及び第２の端子ブロックをそのまま器体に収納すれば３路スイッチとなり、連結部位で切断して２つに分割された各一対の第１及び第２の端子板をそれぞれ器体に収納するとともに開閉体を含む開閉ブロックの部品を追加すれば４路スイッチとなるから、３路スイッチと４路スイッチについて器体を含む幾つかの部品を共通化することができてコストダウンが図れるという効果がある。
【００３７】
請求項３の発明は、請求項１又は２の発明において、第１及び第２の端子ブロックをそれぞれ収納する収納部を器体の両端部に設けるとともに器体の略中央内壁面に１乃至複数条の凹凸を形成したので、第１の端子ブロックと第２の端子ブロックとの間の沿面距離を大きくして絶縁性の向上が図れるという効果がある。
【００３８】
請求項４の発明は、請求項３の発明において、器体内壁面の凹凸に嵌合する嵌合片を第１及び第２の端子板に設けたので、第１及び第２の端子板の回転を防止することができるという効果がある。
【００３９】
請求項５の発明は、請求項１又は２記載のスイッチの製造方法であって、第１及び第２の端子ブロックをそのまま器体に収納する工程と、連結部位を切断し予め２つに分割された第１及び第２の端子板をそれぞれ器体に収納する工程との何れか一方を有するので、連結部位の切断作業の有無だけで単極スイッチと２極スイッチ、並びに３路スイッチと４路スイッチを作り分けることができ、種類の異なるスイッチが容易に製造できるという効果がある。
【図面の簡単な説明】
【図１】実施形態１を示し、（ａ）は単極スイッチの分解斜視図、（ｂ）は２極スイッチの分解斜視図である。
【図２】同上の側面断面図である。
【図３】同上を示し、（ａ）は正面図、（ｂ）は側面図、（ｃ）は他の側面図である。
【図４】同上における別の操作ハンドルを示す分解斜視図である。
【図５】同上の２個用ハンドルを用いたものを示し、（ａ）は正面図、（ｂ）は側面図、（ｃ）は他の側面図である。
【図６】同上の１個用ハンドルを用いたものを示し、（ａ）は正面図、（ｂ）は側面図、（ｃ）は他の側面図である。
【図７】実施形態２を示し、（ａ）は３路スイッチの分解斜視図、（ｂ）は４路スイッチの分解斜視図である。
【図８】同上の側面断面図である。
【図９】同上を示し、（ａ）は正面図、（ｂ）は側面図、（ｃ）は他の側面図である。
【図１０】同上におけるボディの要部を示す斜視図である。
【図１１】同上における別の操作ハンドルを示す分解斜視図である。
【図１２】同上の位置表示灯付の４路スイッチを示す分解斜視図である。
【図１３】同上の位置表示灯付の４路スイッチを示す側面断面図である。
【符号の説明】
Ｓ１，Ｓ２  スイッチ
Ｔ１  第１の端子ブロック
Ｔ２  第２の端子ブロック
１  器体
１ａ  ボディ
１ｂ  カバー
３  端子ブロック収納部
４  中央収納部
２０  第１の端子板
２０ａ  接続片
２０ｂ  基片
２０ｃ  当接片
２０ｄ  支持片
２０ｅ  連結片
２１  第２の端子板
２１ａ  接続片
２１ｂ  基片
２１ｃ  脚片
２１ｅ  連結片
２４  開閉体
２５  コイルスプリング
【図１】
0003826706.tif 000002
【図２】
0003826706.tif 000003
【図３】
0003826706.tif 000004
【図４】
0003826706.tif 000005
【図５】
0003826706.tif 000006
【図６】
0003826706.tif 000007
【図７】
0003826706.tif 000008
【図８】
0003826706.tif 000009
【図９】
0003826706.tif 000010
【図１０】
0003826706.tif 000011
【図１１】
0003826706.tif 000012
【図１２】
0003826706.tif 000013
【図１３】
0003826706.tif 000014